(57)【特許請求の範囲】
【請求項１】
スプールが回転自在に収納されたカートリッジ本体と、スプールに一端が係止されてロール状に巻かれた写真フイルムとが収納される本体部と、この本体部の前面側の撮影光軸上に設けられ、撮影レンズやシャッタ羽根を含む撮影機構部とを備えたレンズ付きフイルムユニットにおいて、
前記撮影機構部は、前面に露光開口が設けられ、かつシャッタ羽根の一端を蹴飛ばしてシャッタレリーズを行うシャッタレリーズ機構等が組み込まれたベース部材と、
このベース部材の前面側に着脱自在に組み付けられ、露光開口に対面する撮影開口が形成された背面側基板と、この背面側基板の前面側に取り付けられ、撮影開口が形成された前面側基板と、これら背面側基板と前面側基板との間に組み込まれ、撮影開口を遮断する閉じ位置と撮影開口を開放する開き位置との間で揺動自在とされたシャッタ羽根と、このシャッタ羽根を閉じ位置に向けて付勢するバネとからなるシャッタ羽根ユニットと、
このシャッタ羽根ユニットの前面側に着脱自在に組み付けられ、撮影開口に対面する絞り穴が形成されたレンズボードと、このレンズボードに組み込まれる撮影レンズと、撮影レンズを露呈させる開口が形成され、レンズボードの前面側に取り付けられて撮影レンズを保持する保持枠とからなるレンズユニットとから構成されていることを特徴とするレンズ付きフイルムユニット。
【請求項２】
前記レンズユニットは、ベース部材に係止されていることを特徴とする請求項１記載のレンズ付きフイルムユニット。
【請求項３】
スプールが回転自在に収納されたカートリッジ本体と、スプールに一端が係止されてロール状に巻かれた写真フイルムとが収納される本体部と、この本体部の前面側の撮影光軸上に設けられ、撮影レンズやシャッタ羽根を含む撮影機構部とを備えたレンズ付きフイルムユニットにおいて、
前記撮影機構部は、前面に露光開口が設けられ、かつシャッタ羽根の一端を蹴飛ばしてシャッタレリーズを行うシャッタレリーズ機構等が組み込まれたベース部材と、
このベース部材の前面側に着脱自在に組み付けられ、露光開口に対面する絞り穴が形成されたレンズボードと、このレンズボードに組み込まれる撮影レンズと、撮影レンズを露呈させる開口が形成され、レンズボードの前面側に取り付けられて撮影レンズを保持する保持枠とからなるレンズユニットと、
このレンズユニットの前面側に着脱自在に組み付けられ、保持枠の開口に対面する撮影開口が形成された背面側基板と、この背面側基板の前面側に取り付けられ、撮影開口が形成された前面側基板と、これら背面側基板と前面側基板との間に組み込まれ、撮影開口を遮断する閉じ位置と撮影開口を開放する開き位置との間で揺動自在とされたシャッタ羽根と、このシャッタ羽根を閉じ位置に向けて付勢するバネとからなるシャッタ羽根ユニットとから構成されていることを特徴とするレンズ付きフイルムユニット。
【請求項４】
前記シャッタ羽根ユニットは、ベース部材に係止されていることを特徴とする請求項３記載のレンズ付きフイルムユニット。
【請求項５】
前記ベース部材は、本体部に一体に形成されていることを特徴とする請求項１ないし４いずれか記載のレンズ付きフイルムユニット。
【請求項６】
前記ベース部材は、本体部に着脱自在に組み付けられることを特徴とする請求項１ないし４いずれか記載のレンズ付きフイルムユニット。
【発明の詳細な説明】
【０００１】
【発明の属する技術分野】
本発明は、レンズ付きフイルムユニットに関し、更に詳しくは、リユース及びリサイクル適性を向上させたレンズ付きフイルムユニットに関するものである。
【０００２】
【従来の技術】
簡単な撮影機構が組み込まれ、予めフイルムカートリッジが装填されたレンズ付きフイルムユニットが販売されている。このレンズ付きフイルムユニットは、カートリッジ本体と、このカートリッジ本体内に回転自在に収められたスプールに一端が係止されてロール状に巻かれた写真フイルムとが収納される本体部と、この本体部の前面側の撮影光軸上に設けられ、撮影レンズやシャッタ羽根を含む撮影機構部である露光ユニットとを備えている。本体部には、露光ユニットを挟んでカートリッジ本体が収納されるカートリッジ室と、写真フイルムが収納されるフイルムロール室とが一体に形成されている。
【０００３】
上記シャッタ羽根は、撮影光軸を遮断する閉じ位置と、撮影光軸を開放する開き位置との間で揺動自在とされており、通常時はバネによって付勢されて閉じ位置にある。露光ユニットの撮影機構の中には、写真フイルムの巻き上げによる写真フイルムの移動によってシャッタチャージし、シャッタボタンの押圧に連動してシャッタ羽根の一端を蹴飛ばし、撮影光軸を開放させるシャッタレリーズ機構が含まれている。
【０００４】
レンズ付きフイルムユニットは、ユーザーの使用後に回収されて各部品がリユースあるいはリサイクルされる。例えば露光ユニットは、本体部から取り外された後にシャッタレリーズ機構等の機能検査が行われ、この検査で合格したものは撮影レンズ及びファインダレンズの洗浄あるいは交換を行ってからリユースされている。また、機能検査で不合格となった露光ユニットは、原材料としてリサイクルされている。
【０００５】
【発明が解決しようとする課題】
露光ユニットの機能検査で不合格となる項目の一つとして、シャッタ速度が規定の速度よりも遅くなっているというものがある。これは、シャッタ羽根と露光ユニットのベース部材とが擦れて、いずれか一方あるいは両方が磨耗し、シャッタ羽根の揺動がスムーズに行われなくなるためである。このシャッタ速度の機能検査による不合格品を減少するために、規定のシャッタ速度が得られなかった露光ユニットのシャッタ羽根を交換することが考えられる。
【０００６】
しかしながら、シャッタ羽根はベース部材と撮影レンズを保持したレンズホルダーとで挟み込まれているため、レンズホルダーが取り外されると単独でベース部材に保持されなくなり、シャッタ羽根の交換を自動化することは難しくなっている。また、シャッタ羽根を交換してもベース部材の磨耗が原因である場合には規定のシャッタ速度が得られない。
【０００７】
本発明は、上記課題に鑑みてなされたもので、シャッタ羽根を簡単に交換できるようにしてリユース得率を向上させたレンズ付きフイルムユニットを提供することを目的とする。
【０００８】
【課題を解決するための手段】
上記問題点を解決するために、請求項１記載のレンズ付きフイルムユニットは、前面に露光開口が設けられ、かつシャッタ羽根の一端を蹴飛ばしてシャッタレリーズを行うシャッタレリーズ機構等が組み込まれたベース部材と、このベース部材の前面側に着脱自在に組み付けられ、露光開口に対面する撮影開口が形成された背面側基板と、この背面側基板の前面側に取り付けられ、撮影開口が形成された前面側基板と、これら背面側基板と前面側基板との間に組み込まれ、撮影開口を遮断する閉じ位置と撮影開口を開放する開き位置との間で揺動自在とされたシャッタ羽根と、このシャッタ羽根を閉じ位置に向けて付勢するバネとからなるシャッタ羽根ユニットと、このシャッタ羽根ユニットの前面側に着脱自在に組み付けられ、撮影開口に対面する絞り穴が形成されたレンズボードと、このレンズボードに組み込まれる撮影レンズと、撮影レンズを露呈させる開口が形成され、レンズボードの前面側に取り付けられて撮影レンズを保持する保持枠とからなるレンズユニットとから撮影機構部を構成したものである。
また、請求項２記載のレンズ付きフイルムユニットは、レンズユニットをベース部材に係止するようにしている。
【０００９】
また、請求項３記載のレンズ付きフイルムユニットは、前面に露光開口が設けられ、かつシャッタ羽根の一端を蹴飛ばしてシャッタレリーズを行うシャッタレリーズ機構等が組み込まれたベース部材と、このベース部材の前面側に着脱自在に組み付けられ、露光開口に対面する絞り穴が形成されたレンズボードと、このレンズボードに組み込まれる撮影レンズと、撮影レンズを露呈させる開口が形成され、レンズボードの前面側に取り付けられて撮影レンズを保持する保持枠とからなるレンズユニットと、このレンズユニットの前面側に着脱自在に組み付けられ、保持枠の開口に対面する撮影開口が形成された背面側基板と、この背面側基板の前面側に取り付けられ、撮影開口が形成された前面側基板と、これら背面側基板と前面側基板との間に組み込まれ、撮影開口を遮断する閉じ位置と撮影開口を開放する開き位置との間で揺動自在とされたシャッタ羽根と、このシャッタ羽根を閉じ位置に向けて付勢するバネとからなるシャッタ羽根ユニットとから撮影機構部を構成したものである。
また、請求項４記載のレンズ付きフイルムユニットは、シャッタ羽根ユニットをベース部材に係止するようにしている。
【００１０】
更に、請求項５記載のレンズ付きフイルムユニットは、ベース部材を本体部と一体に形成したものである。
【００１１】
また、請求項６記載のレンズ付きフイルムユニットは、ベース部材を本体部に着脱自在に組み付けるようにしたものである。
【００１２】
【発明の実施の形態】
以下、添付した図面に従って、本発明のレンズ付きフイルムユニットについて説明する。図２に示すように、レンズ付きフイルムユニット２は、予めフイルムカートリッジが装填され各種撮影機構が組み込まれたユニット本体３と、このユニット本体３を部分的に覆うラベル４とから構成されている。
【００１３】
ユニット本体３の上面には、シャッタボタン５，残り撮影可能枚数を表示するカウンタ窓６が、前面にはファインダ７，撮影レンズ８等が設けられている。また、背面側からは１コマの撮影毎に回転操作される巻上げノブ９が露呈されている。ラベル４は、ユニット本体３の中央部分に巻かれるように貼付され、撮影レンズ８やファインダ７，カウンタ窓６等を外部に露呈させる開口が形成されている。
【００１４】
図１及び図３に示すように、ユニット本体３は、未露光の写真フイルム１０と略円柱形状のカートリッジ本体１１とからなるフイルムカートリッジ１２が装填される本体部１３と、この本体部１３の前面に撮影光軸１８に沿って組み付けられるシャッタ羽根ユニット１４と、このシャッタ羽根ユニット１４の前面側に組み付けられるレンズユニット１５と、本体部１３の前面側及び背面側を覆うように組み付けられる前カバー１６及び後カバー１７とから構成されている。これらは爪係合によって着脱自在に結合される。本体部１３及び前カバー１６、並びに後カバー１７は、例えば原材料としてポリスチレンが用いられている。
【００１５】
本体部１３の中央部の前面側には、シャッタ羽根ユニット１４の背後から写真フイルム１０までの間を遮光するとともに、シャッタレリーズ機構やフイルム巻止め機構，撮影枚数カウント機構，ファインダレンズ等が組み付けられたベース部材である遮光筒１９が一体に形成されている。この遮光筒１９の前面には露光開口２０が形成されており、本体部１３の背面側で露光開口２０に対面する位置には、写真フイルム１０への露光範囲を規定するアパーチャー２１が形成されている。
【００１６】
遮光筒１９を挟む両側には、カートリッジ本体１１とロール状に巻かれた写真フイルム１０とがそれぞれ製造段階で収納されるカートリッジ室２３とフイルムロール室２４とが一体に形成されている。カートリッジ室２３の上面には、カートリッジ本体１１内に回転自在に収納されたスプール２５の一端に係合する巻上げノブ９が回転自在に組み付けられている。写真フイルム１０は、一端がスプール２５に係止されているため、撮影後に巻上げノブ９を回転操作すると露光済みの写真フイルム１０がカートリッジ本体１１内に巻き上げられる。
【００１７】
カートリッジ室２３及びフイルムロール室２４は、本体部１３の背面側に後カバー１７が組み付けられ、後カバー１７に一体に形成されたカートリッジ室用の底蓋２７と、フイルムロール室用の底蓋２８とが閉じられることにより適正な遮光能が得られる。なお、底蓋２７，２８は、後カバー１７に対して屈曲自在な薄肉部を介して連結されており、底蓋２７は使用後のレンズ付きフイルムユニット２からフイルムカートリッジ１２を取り出す際に開放される。また、後カバー１７には、本体部１３のアパーチャー２１に対面する前面側に写真フイルム１０の背面側を支持するフイルム支持面１７ａが形成されている。
【００１８】
フイルムカートリッジ１２は、未使用時には写真フイルム１０を先端まで全てカートリッジ本体１１内に収納しておき、カメラ等に装填されるとスプール２５の回転によってカートリッジ本体１１のフイルム送出口（図示せず）から写真フイルム１０を送り出すようになっている。写真フイルム１０には、一方の端縁に沿って撮影コマの一つあたりに２個ずつパーフォレーション２９が形成されている。このパーフォレーション２９は、撮影コマのフイルム給送方向の先頭側と後部側とに設けられている。
【００１９】
カートリッジ本体１１のフイルム送出口の奥には、フイルム送出口を塞いでカートリッジ本体１１内部を遮光するための蓋部材３０が回動自在に組み込まれている。この蓋部材３０の両端には、キー溝が形成されており、スプール２５の軸方向に沿った側面から外部に各々露呈されている。図４に示すように、カートリッジ室２３の上面、及びカートリッジ室２３と遮光筒１９との間には、底蓋２７の開放に連動して蓋部材３０を閉じる蓋部材閉鎖機構を構成するキー部材３２と、捩じりバネ３３と、連結棒３４とが組み込まれている。
【００２０】
キー部材３２は、カートリッジ室２３の上面に回転自在に組み付けられ、カートリッジ本体１１の蓋部材３０の端部のキー溝に係合する。このキー部材３２は、捩じりバネ３３によって遮光蓋３０の閉じ位置に向けて付勢されるが、連結棒３４に当接することによりその回転を阻止されている。連結棒３４は、底蓋２７に爪係合により係止されており、底蓋２７が開放されると一緒に引っ張られて下方にスライドする。これにより、連結棒３４とキー部材３２との当接が解除され、キー部材３２は捩じりバネ３３の付勢によって蓋部材３０の閉じ位置に回動する。
【００２１】
遮光筒１９の上面には、２本の軸３６，３７と、軸受け部３８，レンズホルダー３９が一体に形成されている。レンズ保持部３９には、ファインダ７を構成する対物レンズ４０と接眼レンズ４１とが組み込まれている。
【００２２】
軸３６には、シャッタレリーズ機構を構成するシャッタ駆動レバー４２と、捩じりバネ４３と、上面に撮影枚数用の目盛りが記され外周に歯が形成されたカウンタ板４４が取り付けられている。軸３７には、同じくシャッタレリーズ機構を構成する係止レバー４５，捩じりバネ４６が取り付けられている。軸受け部３８には、複数のカムが一体に形成されたカム部材４７が回転自在に取り付けられている。また、本体部１３の背面側からは写真フイルム１０のパーフォレーション２９に噛合するスプロケット４８が組み込まれ、更に遮光筒１９の上面には板バネ４９が取り付けられる。これらの各部品は、遮光筒１９の上方に取り付けられる押さえ板５０によって遮光筒１９から外れないように保持される。
【００２３】
シャッタ駆動レバー４２は、図中時計方向であるチャージ位置と、図中反時計方向であるレリーズ完了位置との間で回動自在であり、捩じりバネ４３によってレリーズ完了位置に向けて付勢されている。そして、チャージ位置からレリーズ完了位置へと回動するレリーズ動作の際に、カギ形状の蹴飛ばしレバー４２ａを用いてシャッタ羽根ユニット１４に露光開口２０を開放させる。
【００２４】
係止レバー４５は、図中時計方向である巻き止め位置と、図中反時計方向である巻き止め解除位置との間で回動自在であり、捩じりバネ４６により巻き止め位置に向けて付勢されている。この係止レバー４５は巻き止め位置にある際に、チャージ位置にあるシャッタ駆動レバー４２に係合して保持し、更に巻上げノブ９の外周に係合して巻上げノブ９の回転をロックし、また回転部材４７に係合して回転部材４７及びスプロケット４８の回転をロックする。また、巻き止め解除位置に回動する際にはシャッタ駆動レバー４２の保持を解除して、シャッタ駆動レバー４２にレリーズ動作を行わせる。
【００２５】
スプロケット４８は、写真フイルム１０のパーフォレーション２９に係合し、フイルム巻き上げによる写真フイルム１０の１コマ分の移動によって半回転される。このスプロケット４８に下端が係合されて回転部材４７は一体に回転する。回転部材４７は、スプロケット４８と一体に回転する際にシャッタ駆動レバー４２を押圧してチャージ位置に回動させ、更に係止レバー４５を係合させることにより巻止め位置に回動させる。また、回転部材４７の一部はカウンタ板４４に噛合しており、半回転することによりカウンタ板４４を一目盛り分歩進させる。このカウンタ板４４の目盛りは、押さえ板５０に一体に形成されたレンズ部５０ａを介してカウンタ窓６から表示される。
【００２６】
前記スプロケット４８は、間欠に設けられたパーフォレーション２９に噛合するため、半回転する間に一時的にパーフォレーションに噛合しない瞬間が発生する。板バネ４９は、このスプロケット４８とパーフォレーションとが噛合しない際に、次のパーフォレーション２９に係合できるように回転部材４７を押圧して従動方向に強制的に回転させる。
【００２７】
従来の回転部材４７は原材料としてポリスチレンを用いており、シャッタ駆動レバー４２及び係止レバー４５はポリスチレンよりも硬度の高いポリオキシメチレン（ＰＯＭ）を用いていた。回転部材４７は、バネ付勢に抗してシャッタ駆動レバー４２をチャージ位置に回動させたり、係止レバー４５がバネ付勢によって当接，係合することから磨耗や傷の発生が多く、露光ユニットのリユース率を低下させる一つの要因となっていた。本実施形態では、各種撮影機構が組み込まれた本体部１３のリユース率を高めるために、回転部材４７もポリオキシメチレンで成形して磨耗や傷の発生を抑えるようにしている。
【００２８】
図３及び図５に示すように、シャッタ羽根ユニット１４は、遮光筒１９の前面に着脱自在に取り付けられ、露光開口２０に対面する撮影開口５２ａが形成された背面側基板５２と、この背面側基板５２に取り付けられ撮影開口５３ａが形成された前面側基板５３と、これら背面側基板５２と前面側基板５３との間に組み込まれ、撮影開口５２ａ，５３ａを塞ぐ閉じ位置と開放する開き位置との間で揺動自在とされたシャッタ羽根５４と、シャッタ羽根５４を閉じ位置に向けて付勢する引き戻しバネ５５とから構成されている。
【００２９】
背面側基板５２は、両側辺に２個ずつ被係合片５７が一体に形成されており、これらの被係合片５７は遮光筒１９の両側面に形成された係合爪５８に係合される。また、背面側基板５２には２個の位置決め用の穴５９が形成されており、これらの穴５９には遮光筒１９の前面に立設された位置決め用のピン６０が挿入される。撮影開口５２ａの周囲には、シャッタ羽根５４が取り付けられるピン６１と、引き戻しバネ５５の一端が掛けられるピン６２と、閉じ位置でシャッタ羽根５４を受け止める受け突条６３と、開き位置に揺動したシャッタ羽根５４を受け止める受け片６４とが形成されている。
【００３０】
前面側基板５３は、両側辺に形成された係合爪６６が背面側基板５２の両側辺に係合することにより背面側基板５２と一体化される。また、前面側基板５３は、背面側基板５２との間の上方及び側方を覆うような箱形状となっているが、上面５３ｂはシャッタ羽根５４の一部を露呈させるために切り欠かれている。背面側基板５２のピン６１，６２は、前面側基板５３用の位置決めピンともなっており、前面側基板５３に形成された穴６７に挿入される。
【００３１】
シャッタ羽根５４は、ピン６１に揺動自在に取り付けられる取付部５４ａと、撮影開口５２ａ，５３ａを開閉する開閉部５４ｂと、シャッタ駆動レバー４２の蹴飛ばしレバー４２ａによって蹴飛ばされる突出片５４ｃとからなる。取付部５４ａにはピン６９が立設されており、このピン６９には引き戻しバネ５５の他端が掛けられ、撮影開口５２ａ，５３ａを塞ぐ閉じ位置に向けて付勢される。
【００３２】
レンズユニット１５は、シャッタ羽根ユニット１４の前面側に取り付けられるレンズボード７１と、このレンズボード７１に組み込まれる前レンズ８ａ，後レンズ８ｂ，スペーサー７２，保持枠７３とから構成されている。レンズボード７１は、両側辺に一体に形成された被係合片７４が、遮光筒１９の両側面に形成された係合爪７５に係合される。レンズボード７１には３個の位置決め用の穴７６が形成されており、これらの穴７６には前面側基板５３の前面に形成された位置決め用のピン７７が挿入される。前レンズ８ａ，後レンズ８ｂ，スペーサー７２は、レンズボード７１の前面に一体に形成され、内部に絞り穴７１ｂが形成された鏡筒部７１ａに収められ、保持枠７３によって鏡筒部７１ａから落ちないように押さえられる。
【００３３】
次に、上記実施形態の作用について説明する。レンズ付きフイルムユニット２は、搬送時の振動や衝撃等で無駄な撮影が行われないように、シャッタチャージがなされていない状態で販売されているため、レンズ付きフイルムユニット２を購入したユーザーは、包装袋やラベル４に記されている説明に従って最初に巻上げノブ９を巻上げ方向に回転操作する。
【００３４】
巻上げノブ９が回転操作されると、図４に示すスプロケット４８は、写真フイルム１０のパーフォレーション２９に係合して図中反時計方向に回転する。これにより、スプロケット４８と係合している回転部材４７も同軸で一体に回転する。この回転途中で、スプロケット４８とパーフォレーション２９とが係合しない瞬間が発生するが、板バネ４９が回転部材４７を押圧して従動方向に回転させるので、スプロケット４８は次のパーフォレーション２９に係合することができる。
【００３５】
また、回転途中の回転部材４７は、シャッタ駆動レバー４２を捩じりバネ４３の付勢に抗して図中時計方向のチャージ位置に回動させ、係止レバー４５を捩じりバネ４６の付勢によって係合させることにより図中時計方向の巻き止め位置に回動させる。これにより、シャッタ駆動レバー４２と係止レバー４５とが係合して、シャッタ駆動レバー４２がチャージ位置で保持される。また、係止レバー４５は巻上げノブ９と回転部材４７とに係合して回転のロックを行う。更に、回転部材４７はカウンタ板４４を一目盛り分歩進させて、カウンタ窓６から残り撮影可能枚数を表示する。
【００３６】
巻上げノブ９の回転にロックが掛かることによりユーザーにはシャッタチャージが完了したことが確認できる。その後、ファインダ８を覗いて撮影範囲を決定し、シャッタボタン５を押圧するとシャッタレリーズが行われる。
【００３７】
シャッタボタン５が押圧されると、シャッタボタン５に一体に形成された押圧レバー７９（図１参照）が係止レバー４５を捩じりバネ４６の付勢に抗して、図中反時計方向の巻き止め解除位置に向けて回動させる。これにより、係止レバー４５によるシャッタ駆動レバー４２のチャージ位置での保持が解除され、シャッタ駆動レバー４２は捩じりバネ４３の付勢によって図中反時計方向のレリーズ完了位置に向けて回動する。
【００３８】
レリーズ完了位置に向けて回動したシャッタ駆動レバー４２は、蹴飛ばしレバー４２ａによってシャッタ羽根５４の突出片５４ｃを蹴飛ばす。これにより、シャッタ羽根５４は引き戻しバネ５５の付勢に抗して図５中において時計方向に揺動し、撮影レンズ８から写真フイルム１０までの撮影開口５３ａ，５２ａを開放し、被写体光を写真フイルム１０に入射させる。開き位置に向けて揺動したシャッタ羽根５４は、受け片６４に当接して揺動を規制され、引き戻しバネ５５の付勢によって閉じ位置に向けて揺動し、受け突条６３に当接して停止する。
【００３９】
以後、巻上げノブ９の回転操作と、シャッタボタン５の押圧とを繰り返して、収納している写真フイルム１０の全てのコマへの撮影を行う。そして全てのコマへの撮影が終了した後には、ユーザーはレンズ付きフイルムユニット２をそのまま現像取扱店に渡して同時プリントを依頼する。
【００４０】
レンズ付きフイルムユニット２は、現像取扱店から現像所に集められ、ユニット本体３からフイルムカートリッジ１２が取り出される。底蓋２７が開放されると、底蓋２７に係合された連結棒３４が下方にスライドし、連結棒３４によるキー部材３２の保持が解除される。キー部材３２は、捩じりバネ３３の付勢によって蓋部材３０の開き位置から閉じ位置に向けて回動する。これにより、キー部材３２に係合された蓋部材３０も閉じ位置に回動してフイルム送出口が閉じられるので、明室にてフイルムカートリッジ１２の取り出しを行うことができる。取り出されたフイルムカートリッジ１２は、現像処理，プリント処理を行った後に、現像済みの写真フイルム１０を再びカートリッジ本体１１に巻き込み、プリント写真，インデックスプリントとともにユーザーに返却される。
【００４１】
フイルムカートリッジ１２が取り出されたフイルムユニット３は、メーカーによって現像所からリサイクル工場に回収される。ユニット本体３は、リサイクル工場でシャッタレリーズ機構やシャッタ羽根ユニット１４，レンズユニット１５が取り付けられた状態の本体部１３と、前カバー１６，後カバー１７とに分解され、外観検査が行われる。なお、後カバー１７は、写真フイルム１０と直接接触する部分が多いため、写真フイルム１０への擦り傷等の発生を防止するために、破砕，ペレット化されて原材料としてリサイクルされる。同様に、前カバー１６は、露出部分が多く、傷が発生することが多いため、破砕，ペレット化されて原材料としてリサイクルされる。また、それ以外の部品でも外観検査で大きな傷や亀裂等が発生しているものは後カバー１７と同様に原材料としてリサイクルされる。
【００４２】
外観検査で合格となった本体部１３からは、レンズユニット１５と対物レンズ４０，接眼レンズ４１とが取り外され、これらは洗浄後にリユースされる。
【００４３】
残った本体部１３には、シャッタレリーズ機構，フイルム巻止め機構，カウンタ機構などの機能検査が行われる。回転部材４７は、シャッタ駆動レバー４２及び係止レバー４５と同じポリオキシメチレンで成形されているので、回転部材４７の磨耗や傷が原因で発生する機能検査での不合格は大幅に減少する。
【００４４】
上記機能検査でシャッタ速度が規定よりも遅くなっていることにより不合格となった本体部１３は、シャッタ羽根ユニット１４が新しいものに交換してから再度シャッタ速度の検査が行われる。また取り外された古いシャッタ羽根ユニット１４は、原材料としてリサイクルされる。
【００４５】
検査に合格した本体部１３は、レンズ付きフイルムユニットの組み立てラインに搬送される。また、新しいシャッタ羽根ユニット１４を取り付けても規定のシャッタ速度が得られなかった本体部１３は、更に各部品に分解されて原材料としてリサイクルされる。このように、本実施形態のレンズ付きフイルムユニットでは、シャッタ羽根ユニットを交換することにより本体部のリユース得率を向上させることができる。
【００４６】
次に、本発明の別の実施形態を用いたレンズ付きフイルムユニットについて説明する。なお、上記の実施形態と同じ部品については同符号を用い、説明を省略する。図６に示すように、本実施形態では、本体部１３の遮光筒１９の前面側にレンズユニット８２を着脱自在に組み付け、このレンズユニット８２の前面側にシャッタ羽根ユニット８３が着脱自在に組み付けられている。
【００４７】
図７及び図８に示すように、レンズユニット８２は、遮光筒１９の前面側に取り付けられるレンズボード８５と、このレンズボード８５に組み込まれる前レンズ８ａ，後レンズ８ｂ，スペーサー７２，保持枠８６とから構成されている。レンズボード８５は、両側辺に被係合片８７が一体に形成されており、この被係合片８７が遮光筒１９の両側面に形成された係合爪８８に係合される。また、レンズボード８５には２個の位置決め用の穴８９が形成されており、これらの穴８９には遮光筒１９の前面に形成された位置決め用のピン９０が挿入される。前後レンズ８ａ，８ｂとスペーサー７２とは、レンズボード８５の前面に一体に形成され、内部に絞り穴８５ｂが形成された鏡筒部８５ａに収められ、保持枠８６によって鏡筒部８５ａから落ちないように押さえられる。
【００４８】
シャッタ羽根ユニット８３は、レンズユニット８２の前面側に着脱自在に取り付けられ、露光開口２０に対面する撮影開口９１ａが形成された背面側基板９１と、この背面側基板９１に取り付けられ撮影開口９２ａが形成された前面側基板９２と、これら背面側基板９１と前面側基板９２との間に組み込まれ、撮影開口９１ａ，９２ａを塞ぐ閉じ位置と開放する開き位置との間で揺動自在とされたシャッタ羽根９３と、引き戻しバネ９４とから構成されている。
【００４９】
背面側基板９１は、両側辺に２個ずつ被係合片９６が一体に形成されており、これらの被係合片９６は遮光筒１９の両側面に形成された係合爪９７に係合される。また、背面側基板９１には４個の位置決め用の穴９８が形成されており、これらの穴９８にはレンズボード８５の前面に立設された位置決め用のピン９９が挿入される。なお、ピン９９は、レンズユニット８２とシャッタ羽根ユニット８３との間の間隔を適正に保つために２段形状となっている。撮影開口９１ａの周囲には、シャッタ羽根９３が取り付けられるピン１００と、引き戻しバネ９４の一端が掛けられるピン１０１と、閉じ位置でシャッタ羽根９３を受け止める受け突条１０２と、開き位置に揺動したシャッタ羽根９３を受け止める受け片１０３とが形成されている。
【００５０】
前面側基板９２は、両側辺に形成された係合爪１０５が背面側基板９１の両側辺に形成された切欠１０６に係合することにより背面側基板９１と一体化される。また、前面側基板９２は、背面側基板９１との間の上方及び側方を覆う箱形状となっているが、上面９２ｂはシャッタ羽根９３の一部を露呈させるために切り欠かれている。背面側基板９１のピン１００，１０１は、前面側基板９２用の位置決めピンともなっており、前面側基板９２に形成された穴１０７に挿入される。背面側基板９１の背面には、レンズユニット８２の保持枠８６に被せられる円形の突条１０８が一体に形成されている。
【００５１】
シャッタ羽根９３は、ピン１００に揺動自在に取り付けられる取付部９３ａと、撮影開口９１ａ，９２ａを開閉する開閉部９３ｂと、シャッタ駆動レバー４２の蹴飛ばしレバー４２ａによって蹴飛ばされる突出片９３ｃとからなる。この突出片９３ｃは、シャッタ羽根ユニット８３と遮光筒１９との間にレンズユニット８２が配置されていることから背面側に向かって延ばされており、これによりシャッタ駆動レバー４２の形状を変えなくてもよくなる。また、取付部９３ａにはピン１０９が立設されており、このピン１０９には引き戻しバネ９４の他端が掛けられ、撮影開口９１ａ，９２ａを塞ぐ閉じ位置に向けて付勢される。
【００５２】
また、シャッタ羽根９３は、レリーズ時以外は撮影レンズ８の前方を塞いで保護することから、レンズバリアとしての機能も備えている。そのため、撮影レンズ８が汚れなくなるので、リサイクル時に撮影レンズ８の洗浄を省略することができる。更に、シャッタ羽根９３への汚れの付着や傷の発生を防止するために、前面側基板９２の撮影開口９２ａを例えばトリアセチルセルロース（ＴＡＣ）等の透明なプラスチックで覆うようにしてもよい。
【００５３】
次に、上記実施形態の作用について説明する。フイルムカートリッジ１２が取り出されたフイルムユニット３は、メーカーによって現像所からリサイクル工場に回収される。ユニット本体３は、リサイクル工場でシャッタレリーズ機構やシャッタ羽根ユニット８３，レンズユニット８２が取り付けられた状態の本体部１３と、前カバー１６，後カバー１７とに分解され、外観検査が行われる。なお、後カバー１７は、写真フイルム１０と直接接触する部分が多いため、写真フイルム１０への擦り傷等の発生を防止するために、破砕，ペレット化されて原材料としてリサイクルされる。前カバー１６は、破砕，ペレット化されて原材料としてリサイクルされる。また、それ以外の部品でも外観検査で大きな傷や亀裂等が発生しているものは後カバー１７と同様に原材料としてリサイクルされる。
【００５４】
外観検査で合格となった本体部１３からは、対物レンズ４０，接眼レンズ４１とが取り外され、これらは洗浄後にリユースされる。なお、撮影レンズ８は、シャッタ羽根ユニット８３によって保護されているため、洗浄を行わずにそのままリユースすることができる。
【００５５】
本体部１３には、シャッタレリーズ機構，フイルム巻止め機構，カウンタ機構などの機能検査が行われる。回転部材４７は、シャッタ駆動レバー４２及び係止レバー４５と同じポリオキシメチレンで成形されているので、回転部材４７の磨耗や傷が原因で発生する機能検査での不合格は大幅に減少する。
【００５６】
上記機能検査でシャッタ速度が規定よりも遅くなっていることにより不合格となった本体部１３は、シャッタ羽根ユニット８３を新しいものに交換して再びシャッタ速度の検査を行う。また取り外された古いシャッタ羽根ユニット８３は、原材料としてリサイクルされる。再度の検査により合格となった本体部１３は、再びレンズ付きフイルムユニットの組み立てラインに搬送される。
【００５７】
また、新しいシャッタ羽根ユニット８３を取り付けても規定のシャッタ速度が得られない本体部１３は、更に各部品に分解されて原材料としてリサイクルされる。このように、本実施形態のレンズ付きフイルムユニットでは、シャッタ羽根ユニットを交換することにより本体部のリユース得率を向上させることができる。また、他の部品を取り外さなくてもシャッタ羽根ユニットを取り外すことができ、更に撮影レンズの洗浄も必要なくなるので、リユース，リサイクル工程数を削減できる。
【００５８】
なお、上記各実施の形態では、ベース部材である遮光筒を本体部と一体化しているが、本体部と遮光筒とを別々に形成し、図９に示すように、遮光筒１１１にレンズユニット８２とシャッタ羽根ユニット８３と、シャッタレリーズ機構，フイルム巻止め機構，フイルムカウンタ機構を構成する各部品（図示せず）を組み付けて露光ユニット１１３として、この露光ユニット１１３を本体部に着脱自在に組み付けるようにしたレンズ付きフイルムユニットにも用いることができる。この場合には、露光ユニット１１３のリユース得率を大幅に向上させることができる。
【００５９】
また、スプールの回転によって写真フイルムの送り出しが可能なフイルムカートリッジが装填されたレンズ付きフイルムユニットについて説明したが、本発明は、従来の１３５サイズの写真フイルムパトローネが装填されたレンズ付きフイルムユニットにも採用することができる。
【００６０】
【発明の効果】
以上説明したように、本発明のレンズ付きフイルムユニットは、撮影機構部を、シャッタレリーズ機構等が組み込まれたベース部材と、撮影光軸を遮断する閉じ位置と撮影光軸を開放する開き位置との間で揺動自在なシャッタ羽根と、このシャッタ羽根を閉じ位置に向けて付勢するバネと、このバネとシャッタ羽根とを撮影光軸に沿って前後から挟み込んで保持する一対の基板とからなるシャッタ羽根ユニットと、撮影レンズを保持するレンズユニットとから構成したので、シャッタ羽根ユニットの交換を簡単に行うことができ、撮影機構部あるいはベース部材が一体に形成された本体部のリユース得率を向上させることができる。
【図面の簡単な説明】
【図１】ユニット本体の構成を示す分解斜視図である。
【図２】レンズ付きフイルムユニットの外観斜視図である。
【図３】ユニット本体の要部断面図である。
【図４】シャッタレリーズ機構，フイルム巻止め機構，カウンタ機構の構成を示す分解斜視図である。
【図５】シャッタ羽根ユニット及びレンズユニットの構成を示す分解斜視図である。
【図６】別の実施形態のユニット本体の部分的構成を示す分解斜視図である。
【図７】別の実施形態のシャッタ羽根ユニット及びレンズユニットの構成を示す分解斜視図である。
【図８】別の実施形態のユニット本体の要部断面図である。
【図９】更に別の実施形態の露光ユニットの構成を示す分解斜視図である。
【符号の説明】
２  レンズ付きフイルムユニット
３  ユニット本体
８  撮影レンズ
１３  本体部
１４，８３  シャッタユニット
１５，８２  レンズユニット
１９，１１１  遮光筒
５２，９１  背面側基板
５３，９２  前面側基板
５４，９３  シャッタ羽根
５５，９４  引き戻しバネ
１１３  露光ユニット
【図１】
0003835711.tif 000002
【図２】
0003835711.tif 000003
【図３】
0003835711.tif 000004
【図４】
0003835711.tif 000005
【図５】
0003835711.tif 000006
【図６】
0003835711.tif 000007
【図７】
0003835711.tif 000008
【図８】
0003835711.tif 000009
【図９】
0003835711.tif 000010